(57)【特許請求の範囲】
【請求項１】
現像剤が転写された記録媒体を除電する除電部材と、
前記除電部材により除電される記録媒体を案内する第１の案内部が形成された第１の部材と、
前記第１の部材に固定され、記録媒体に転写される現像剤に対する帯電系列が前記第１の部材よりも近い材料から形成され、前記除電部材により除電される記録媒体を案内する第２の案内部が形成された第２の部材と、
を有し、
前記第１の案内部は、記録媒体の搬送方向上流側においては、前記第２の案内部より記録媒体側に突出していて、
前記第２の案内部は、記録媒体の搬送方向下流側においては、前記第１の案内部より記録媒体側に突出している
除電装置。
【請求項２】
前記第１の部材に噛合部が形成され、前記第２の部材に前記噛合部と噛み合う被噛合部が形成され、
前記第２の部材は、前記噛合部と前記被噛合部とが噛み合うことで前記第１の部材に固定されている請求項１記載の除電装置。
【請求項３】
前記除電部材は、前記第１の部材と前記第２の部材との間に挟まれて配置されている請求項１又は２記載の除電装置。
【請求項４】
前記除電部材は、記録媒体の搬送方向と交わる方向において前記第１の案内部と前記第２の案内部との間に位置し、露出した状態で記録媒体に対向するように形成された突起を有する請求項１乃至３いずれか記載の除電装置。
【請求項５】
現像剤を記録媒体に転写する転写部材と、
前記転写部材により現像剤が転写された記録媒体を除電する除電部材と、
前記転写部材及び前記除電部材を支持し、前記除電部材により除電される記録媒体を案内する第１の案内部が形成された第１の部材と、
前記第１の部材に固定され、前記転写部材により記録媒体に転写される現像剤に対する帯電系列が前記第１の部材よりも近い材料から形成され、前記除電部材により除電される記録媒体を案内する第２の案内部が形成された第２の部材と、
を有し、
前記第１の案内部は、記録媒体の搬送方向上流側においては、前記第２の案内部より記録媒体側に突出していて、
前記第２の案内部は、記録媒体の搬送方向下流側においては、前記第１の案内部より記録媒体側に突出している
転写装置。
【請求項６】
像保持体と、
前記像保持体が保持する現像剤を記録媒体に転写する転写部材と、
前記転写部材により現像剤が転写された記録媒体を除電する除電部材と、
前記転写部材及び前記除電部材を支持し、前記除電部材により除電される記録媒体を案内する第１の案内部が形成された第１の部材と、
前記第１の部材に固定され、前記転写部材により記録媒体に転写される現像剤に対する帯電系列が前記第１の部材よりも近い材料から形成され、前記除電部材により除電される記録媒体を案内する第２の案内部が形成された第２の部材と、
を有し、
前記第１の案内部は、記録媒体の搬送方向上流側においては、前記第２の案内部より記録媒体側に突出していて、
前記第２の案内部は、記録媒体の搬送方向下流側においては、前記第１の案内部より記録媒体側に突出している
画像形成装置。
【請求項７】
現像剤が転写された記録媒体を除電する除電部材と、
前記除電部材により除電される記録媒体を案内する第１の案内部が形成された第１の部材と、
前記第１の部材に固定され、記録媒体に転写される現像剤に対する帯電系列が前記第１の部材よりも近い材料から形成され、前記除電部材により除電される記録媒体を案内する第２の案内部が形成された第２の部材と、
を有し、
前記第２の案内部は、記録媒体が該第２の案内部に接触しているときは、記録媒体が前記第１の案内部に接触しないように記録媒体を案内する
除電装置。
【請求項８】
現像剤を記録媒体に転写する転写部材と、
前記転写部材により現像剤が転写された記録媒体を除電する除電部材と、
前記転写部材及び前記除電部材を支持し、前記除電部材により除電される記録媒体を案内する第１の案内部が形成された第１の部材と、
前記第１の部材に固定され、前記転写部材により記録媒体に転写される現像剤に対する帯電系列が前記第１の部材よりも近い材料から形成され、前記除電部材により除電される記録媒体を案内する第２の案内部が形成された第２の部材と、
を有し、
前記第２の案内部は、記録媒体が該第２の案内部に接触しているときは、記録媒体が前記第１の案内部に接触しないように記録媒体を案内する
転写装置。
【請求項９】
像保持体と、
前記像保持体が保持する現像剤を記録媒体に転写する転写部材と、
前記転写部材により現像剤が転写された記録媒体を除電する除電部材と、
前記転写部材及び前記除電部材を支持し、前記除電部材により除電される記録媒体を案内する第１の案内部が形成された第１の部材と、
前記第１の部材に固定され、前記転写部材により記録媒体に転写される現像剤に対する帯電系列が前記第１の部材よりも近い材料から形成され、前記除電部材により除電される記録媒体を案内する第２の案内部が形成された第２の部材と、
を有し、
前記第２の案内部は、記録媒体が該第２の案内部に接触しているときは、記録媒体が前記第１の案内部に接触しないように記録媒体を案内する
画像形成装置。
【発明の詳細な説明】
【技術分野】
【０００１】
本発明は、除電装置、転写装置、及び画像形成装置に関する。
【背景技術】
【０００２】
特許文献１には、像担持体と転写部材との間に形成された転写ニップを通過する記録材と該像担持体との間に転写電界を形成して該像担持体上のトナー像を該記録材の表面に転写した直後の記録材裏面部分を除電する除電装置において、長手方向にわたって複数の突起部を有し、その長手方向が記録材搬送方向に対して直交する方向と一致するように上記記録材裏面部分に近接配置される長尺な導電性の除電部材と、該複数の突起部よりも上記記録材裏面部分側に突出したリブとを備えており、該リブを、搬送中の記録材の裏面が接触し得る箇所における該除電部材の長手方向から見たときの外形形状が湾曲形状となるように形成した除電装置が開示されている。
【先行技術文献】
【特許文献】
【０００３】
【特許文献１】特開２００７−３５７５号公報
【発明の開示】
【発明が解決しようとする課題】
【０００４】
本発明は、画像不良の発生を抑制することができる除電装置、帯電装置、及び画像形成装置を提供することを目的とする。
【課題を解決するための手段】
【０００５】
請求項１に係る本発明は、現像剤が転写された記録媒体を除電する除電部材と、前記除電部材により除電される記録媒体を案内する第１の案内部が形成された第１の部材と、前記第１の部材に固定され、記録媒体に転写される現像剤に対する帯電系列が前記第１の部材よりも近い材料から形成され、前記除電部材により除電される記録媒体を案内する第２の案内部が形成された第２の部材と、を有し、前記第１の案内部は、記録媒体の搬送方向上流側においては、前記第２の案内部より記録媒体側に突出していて、前記第２の案内部は、記録媒体の搬送方向下流側においては、前記第１の案内部より記録媒体側に突出している除電装置である。
【０００６】
請求項２に係る本発明は、前記第１の部材に噛合部が形成され、前記第２の部材に前記噛合部と噛み合う被噛合部が形成され、前記第２の部材は、前記噛合部と前記被噛合部とが噛み合うことで前記第１の部材に固定されている請求項１記載の除電装置である。
【０００７】
請求項３に係る本発明は、前記除電部材は、前記第１の部材と前記第２の部材との間に挟まれて配置されている請求項１又は２記載の除電装置である。
【００１１】
請求項４に係る本発明は、前記除電部材は、記録媒体の搬送方向と交わる方向において前記第１の案内部と前記第２の案内部との間に位置し、露出した状態で記録媒体に対向するように形成された突起を有する請求項１乃至３いずれか記載の除電装置である。
【００１３】
請求項５に係る本発明は、現像剤を記録媒体に転写する転写部材と、前記転写部材により現像剤が転写された記録媒体を除電する除電部材と、前記転写部材及び前記除電部材を支持し、前記除電部材により除電される記録媒体を案内する第１の案内部が形成された第１の部材と、前記第１の部材に固定され、前記転写部材により記録媒体に転写される現像剤に対する帯電系列が前記第１の部材よりも近い材料から形成され、前記除電部材により除電される記録媒体を案内する第２の案内部が形成された第２の部材と、を有し、前記第１の案内部は、記録媒体の搬送方向上流側においては、前記第２の案内部より記録媒体側に突出していて、前記第２の案内部は、記録媒体の搬送方向下流側においては、前記第１の案内部より記録媒体側に突出している転写装置である。
【００１５】
請求項６に係る本発明は、像保持体と、前記像保持体が保持する現像剤を記録媒体に転写する転写部材と、前記転写部材により現像剤が転写された記録媒体を除電する除電部材と、前記転写部材及び前記除電部材を支持し、前記除電部材により除電される記録媒体を案内する第１の案内部が形成された第１の部材と、前記第１の部材に固定され、前記転写部材により記録媒体に転写される現像剤に対する帯電系列が前記第１の部材よりも近い材料から形成され、前記除電部材により除電される記録媒体を案内する第２の案内部が形成された第２の部材と、を有し、前記第１の案内部は、記録媒体の搬送方向上流側においては、前記第２の案内部より記録媒体側に突出していて、前記第２の案内部は、記録媒体の搬送方向下流側においては、前記第１の案内部より記録媒体側に突出している画像形成装置である。
請求項７に係る本発明は、現像剤が転写された記録媒体を除電する除電部材と、前記除電部材により除電される記録媒体を案内する第１の案内部が形成された第１の部材と、前記第１の部材に固定され、記録媒体に転写される現像剤に対する帯電系列が前記第１の部材よりも近い材料から形成され、前記除電部材により除電される記録媒体を案内する第２の案内部が形成された第２の部材と、を有し、前記第２の案内部は、記録媒体が該第２の案内部に接触しているときは、記録媒体が前記第１の案内部に接触しないように記録媒体を案内する除電装置である。
請求項８に係る本発明は、現像剤を記録媒体に転写する転写部材と、前記転写部材により現像剤が転写された記録媒体を除電する除電部材と、前記転写部材及び前記除電部材を支持し、前記除電部材により除電される記録媒体を案内する第１の案内部が形成された第１の部材と、前記第１の部材に固定され、前記転写部材により記録媒体に転写される現像剤に対する帯電系列が前記第１の部材よりも近い材料から形成され、前記除電部材により除電される記録媒体を案内する第２の案内部が形成された第２の部材と、を有し、前記第２の案内部は、記録媒体が該第２の案内部に接触しているときは、記録媒体が前記第１の案内部に接触しないように記録媒体を案内する転写装置である。
請求項９に係る本発明は、像保持体と、前記像保持体が保持する現像剤を記録媒体に転写する転写部材と、前記転写部材により現像剤が転写された記録媒体を除電する除電部材と、前記転写部材及び前記除電部材を支持し、前記除電部材により除電される記録媒体を案内する第１の案内部が形成された第１の部材と、前記第１の部材に固定され、前記転写部材により記録媒体に転写される現像剤に対する帯電系列が前記第１の部材よりも近い材料から形成され、前記除電部材により除電される記録媒体を案内する第２の案内部が形成された第２の部材と、を有し、前記第２の案内部は、記録媒体が該第２の案内部に接触しているときは、記録媒体が前記第１の案内部に接触しないように記録媒体を案内する画像形成装置である。
【発明の効果】
【００１６】
本発明によれば、画像不良を抑制することができ、記録媒体先端部が引っ掛かりにくくすることができ、記録媒体の搬送不良を生じにくくすることができる除電装置、転写装置及び画像形成装置を提供することができる。
【図面の簡単な説明】
【００２７】
【図１】本発明の実施形態に係る画像形成装置を示す右側面図である。
【図２】図１に示す画像形成装置が有する転写装置及び除電装置を示す右側面図である。
【図３】図２に示す除電装置が有する除電部材を示す平面図である。
【図４】図２に示す除電装置が有する第１の部材を示す平面図である。
【図５】図４に示す第１の部材を示し、図４におけるＡ−Ａ線断面を示す断面図である。
【図６】図２に示す除電装置が有する第２の部材を示す平面図である。
【図７】図６に示す第２の部材を示し、図６（ａ）は図６におけるＢ−Ｂ線断面を示す断面図であり、図６（ｂ）は図６におけるＣ−Ｃ線断面を示す断面図である。
【図８】図２に示す除電装置を示す平面図である。
【図９】図２に示す除電装置を示し、図９（ａ）は第１の部材に第２の部材を装着する様子を説明する断面図であり、図９（ｂ）は、第１の部材に第２の部材が装着された状態を示し、図８におけるＤ−Ｄ線断面を示す断面図である。
【図１０】図２に示す除電装置が有する第１のリブと第２のリブとの配置を模式的に示す斜視図である。
【図１１】図２に示す除電装置の付近を用紙が通過する状態を示し、図１１（ａ）は、用紙の先端部が第１の案内部に到達した状態を説明する図であり、図１１（ｂ）は、用紙の先端部が除電部材を通過した状態を説明する図である。
【図１２】第１の比較例に係る除電装置を示す断面図である。
【図１３】第２の比較例に係る除電装置を示す断面図である。
【発明を実施するための形態】
【００２８】
次に、本発明を実施するための形態を図面を参照して説明する。
図１には、本発明の実施形態に係る画像形成装置１０が示されている。図１に示されるように、画像形成装置１０は、画像形成装置本体２０を有し、画像形成装置本体２０の上部が、画像が形成された用紙が排出される排出部２２として用いられている。
【００２９】
画像形成装置本体２０内には、像形成部１００と、像形成部１００に用紙を供給する給紙装置２００とが装着されている。また、画像形成装置本体２０内には、記録媒体として用いられる用紙が搬送される搬送路２５０が形成されている。
【００３０】
像形成部１００は、感光体ドラム１０２Ｙ、１０２Ｍ、１０２Ｃ、１０２Ｋと、感光体ドラム１０２Ｙ、１０２Ｍ、１０２Ｃ、１０２Ｋをそれぞれ帯電する帯電装置１０４Ｙ、１０４Ｍ、１０４Ｃ、１０４Ｋと、帯電装置１０４Ｙ、１０４Ｍ、１０４Ｃ、１０４Ｋによって帯電された感光体ドラム１０２Ｙ、１０２Ｍ、１０２Ｃ、１０２Ｋに光を照射して静電潜像を形成する潜像形成装置１０６と、潜像形成装置１０６によって感光体ドラム１０２Ｙ、１０２Ｍ、１０２Ｃ、１０２Ｋの表面に形成された静電潜像を、トナーとキャリアとからなる現像を用いて現像して、イエローのトナー像、マゼンタのトナー像、シアンのトナー像、黒のトナー像をそれぞれが形成する現像装置１１０Ｙ、１１０Ｍ、１１０Ｃ、１１０Ｋとを有する。
【００３１】
イエローのトナー、マゼンダのトナー、シアンのトナー、及び黒のトナーは現像剤として用いられていて、例えばポリスチレン（polystyrene）を主成分とするものが用いられている。
【００３２】
また、像形成部１００は、現像装置１１０Ｙ、１１０Ｍ、１１０Ｃ、１１０Ｋによってそれぞれ形成されたイエローのトナー像、マゼンタのトナー像、シアンのトナー像、黒のトナー像を後述する中間転写体１４２に転写する１次転写装置１４０と、感光体ドラム１０２Ｙ、１０２Ｍ、１０２Ｃ、１０２Ｋの表面をクリーニングするクリーニング装置１１４Ｙ、１１４Ｍ、１１４Ｃ、１１４Ｋとを有する。
【００３３】
１次転写装置１４０は、感光体ドラム１０２Ｙ、１０２Ｍ、１０２Ｃ、１０２Ｋに形成されたイエロートナー像、マゼンタトナー像、シアントナー像、黒トナー像が重ねられるように転写され、像保持体として用いられているベルト状の中間転写体１４２を有する。中間転写体１４２は、支持ロール１４６、１４８、１５０、１５２によって、回転することができるように支持されている。
【００３４】
また、１次転写装置１４０は、感光体ドラム１０２Ｙ、１０２Ｍ、１０２Ｃ、１０２Ｋにそれぞれが形成されたイエローのトナー像、マゼンタのトナー像、シアンのトナー像、黒のトナー像を、中間転写体に転写するための転写バイアスが印加される次転写ロール１５６Ｙ、１５６Ｍ、１５６Ｃ、１５６Ｋを有する。
【００３５】
また、像形成部１００は、中間転写体１４２に転写されたイエローのトナー像、マゼンタのトナー像、シアンのトナー像、黒のトナー像を用紙に転写し、転写装置として用いられている２次転写装置３００を有する。２次転写装置３００は、用紙に現像剤を転写する転写部材として用いられている２次転写ロール３１０を有する。２次転写装置３００の詳細は後述する。
【００３６】
また、像形成部１００は、２次転写装置３００によって転写されたトナー像を用紙に定着する定着装置１１６を有する。
【００３７】
給紙装置２００は、用紙収納部２０２と、用紙収納部２０２に収納された最上位に位置する用紙を抽出する抽出ロール２０４と、抽出ロール２０４で抽出された用紙を像形成部１００に向けて搬送する搬送ロール２０６と、搬送ロール２０６に接触し、搬送ロール２０６との間で用紙を分離する分離ロール２０８とを有する。
【００３８】
搬送路２５０は、主搬送路２５２と、反転搬送路２５４と、補助搬送路２５６とを有する。主搬送路２５２は、給紙装置２００から供給された用紙を排出部２２に向けて搬送する搬送路であって、主搬送路２５２に沿って用紙の搬送方向上流側から順に、レジストロール２６０と、先述の２次転写装置３００と、先述の定着装置１１６と、排出ロール２６２とが装着されている。レジストロール２６０は、停止した状態から所定のタイミングで回転を開始し、中間転写体１４２にトナー像が転写されるタイミングに合致するように、中間転写体１４２と２次転写ロール３１０との接触部Ｎに用紙を供給する。
【００３９】
排出ロール１２６は、定着装置１１６によって、トナー像が定着された用紙を排出部２２に排出する。また、排出ロール１２６は、用紙の両面に画像を形成する場合に、排出部２２に用紙を排出する場合と反対方向に回転して、一方の面に用紙に画像が形成された用紙を、後端側から反転搬送路２５４へと供給する。
【００４０】
反転搬送路２５４は、一方の面に画像が形成された用紙を、反転させつつ、レジストロール２６０の上流側に再び供給する場合に用いられる。反転搬送路２５４に沿って、例えば２つの反転搬送ロール２６４、２６４が装着されている。
【００４１】
補助搬送路２５６は、画像形成装置本体２０の前側から用紙を供給する場合に用いられる搬送路である。補助搬送路２５６に沿って、レジストロール２６０に向けて用紙を搬送する補助搬送ロール２６６と、補助搬送ロール２６６に接触し、用紙を分離するために用いられる分離ロール２６８とが装着されている。
【００４２】
図２には、２次転写装置３００が示されている。
図２に示されるように、２次転写装置３００は、先述の２次転写ロール３１０と、除電装置３２０とを有する。２次転写ロール３１０は、中間転写ベルト１４２を介して支持ロール１５０に接触し、先述のように中間転写ベルト１４２との間に接触部Ｎを形成する。２次転写ロール３１０、又は支持ロール１５０には、図示を省略するバイアス印加装置により転写バイアスが印加されている。また、２次転写ロール３１０は、図２に示す矢印方向に回転し、主搬送路２５２に沿って下方から搬送されて接触部Ｎに到達した用紙に、中間転写ベルト１４２が保持し、帯電した状態にある現像剤を引き寄せるようにして移動させる。尚、この実施形態においては、２次転写装置３００と除電装置３２０が一体化されているが、２次転写装置３００と除電装置３２０とを個別に構成しても良い。
【００４３】
除電装置３２０は、トナーが転写された用紙を除電する除電部材３２２と、除電部材３２２を支持する第１の部材３３０と、第１の部材に固定された第２の部材３５０とを有する。第２の部材３５０は、除電部材３２２を保護する機能を有する。
【００４４】
図３には、除電部材３２２が示されている。除電部材３２２は、例えばＳＵＳ３０１等の金属等、導電性の部材であり、板状の部材の長辺の１つに、鋸の歯のような形状の複数の突起３２４が形成されるように加工されている。互いに隣り合う突起３２４間の先端部の間の距離は一定であり、例えば４ｍｍとなっている。突起３２４は、用紙に対向する対向部として用いられている。除電部材３２２は、直接接地されているか、抵抗を介して接地、あるいはバイアスを印加しても良い。
【００４５】
図４及び図５には、第１の部材３３０が示されている。図４及び図５に示されるように、第１の部材３３０は、上側の面３３２で重力方向下側から除電部材３２２を支持している。また、第１の部材３３０は、左側（図４における上側）の側壁部３３４と右側の側壁部（不図示）とで、２次転写ロール３１０を回転することができるように支持している。
【００４６】
また、第１の部材３３０には、上側の面３３２から突出するように複数のリブ３３６が形成されている。リブ３３６は、除電部材３２２により除電される用紙を案内する第１の案内部として用いられていて、所定の間隔で配置されている。リブ３３６の間隔は、互いに隣り合うリブ３３６の間に除電部材３２２の突起３２４が２つ配置された状態となるように定められている。それぞれのリブ３３６には、凹部３３８が形成されている。凹部３３８は噛合部として用いられている。また、第１の部材３３０の、２次転写ロール３１０が配置された側と逆側の端部３４０も、凹部３３８と同様に噛合部として用いられている。
【００４７】
第１の部材３３０はＡＢＳ（アクリロニトリル・ブタジエン・スチレン、Acrylonitrile butadiene styrene）樹脂から形成されている。ＡＢＳ樹脂の引張強度は、３９（Ｎ／ｍｍ２）である。
【００４８】
図６及び図７には、第２の部材３５０が示されている。第２の部材３５０には、上側に突出するように複数のリブ３５２が形成されている。リブ３５２は、所定の間隔で配置されていて、除電部材３２２により除電される用紙を案内する案内部として用いられているとともに、除電部材３２２により除電される用紙を案内する第２の案内部として用いられている。また、第２の部材３５０の主搬送路２５２側の長辺部である端部３５６は被噛合部として用いられていて、第１の部材３３０のリブ３３６に形成された凹部３３８（図５参照）に咬み合うようになっている。
【００４９】
また、第２の部材３５０の端部３５６と逆側の長辺部は、下側に屈曲し、さらに後側（図７における右側）に屈曲する形状を有し、屈曲により凹部３５４が形成されている。凹部３５４は、被噛合部として用いられていて、第１の部材３３０の端部３４０に咬み合うようになっている。
【００５０】
また、第２の部材３５０は、ポリプロピレン（polypropylene）から形成されている。ポリプロピレンの引張強度は、３０（Ｎ／ｍｍ２）である。
【００５１】
ここで、イエローのトナー、マゼンダのトナー、シアンのトナー、及び黒のトナーの主成分であるポリスチレンと、第１の部材３３０の材料であるＡＢＳ樹脂と、第２の部材３５０の材料であるポリプロピレンとの帯電系列の関係は、ポリプロピレンが、ＡＢＳ樹脂よりも帯電系列がポリスチレンに対して近くなっている。すなわち、第２の部材３５０は、用紙に転写されるトナーに対して帯電系列が第１の部材３３０よりも近い材料から形成されている。
【００５２】
帯電系列とは、２種類の材質を摩擦したときに、＋側に帯電しやすい材質を上位に、−側に帯電しやすいものを下位に並べた序列の表であり、互いに摩擦する材質が帯電系列においてより離れていればより多くの電荷が移動する。すなわち、２つの物質が接触や摩擦によって帯電するとき、一方が＋に帯電し、他方が−に帯電するものの、特定の物質が＋側に帯電するか−側に帯電するかは必ずしも一定ではなく、＋側に帯電するか−側に帯電するかは、接触する物質との組み合わせにより決まるものであり、＋側に帯電するか−側に帯電するかの傾向を＋側に帯電しやすい材質を上位に−側に帯電しやすいものを下位に並べたものが帯電系列である。
【００５３】
また、先述のように第１の部材３３０の材料であるＡＢＳ樹脂の引張強度は、３９（Ｎ／ｍｍ２）であり、第２の部材３５０の材料であるポリプロピレン引張強度は１２（Ｎ／ｍｍ２）であり、第１の部材３３０は、第２の部材３５０よりも引張強度が強い材料から形成されている。また、一般的には、第１の部材３３０の材料であるＡＢＳ樹脂は、第２の部材３５０の材料であるポリプロピレンよりも安価である。
【００５４】
図８及び図９には、除電装置３２０が示されている。図９（ａ）に示されるように、第２の部材３５０は、端部３５６が第１の部材３３０のリブ３３６に形成された凹部３３８に噛み合い、凹部３５４が第１の部材３３０の端部３４０に噛み合うようにして第１の部材３３０に固定される。第２の部材３５０は、端部３５６が第１の部材３３０に噛み合うことで、長手方向において複数の位置で第１の部材３３０に固定され、凹部３５４が第１の部材３３０に噛み合うことで、長手方向に連続して第１の部材３３０に固定される。このため、例えば、引張強度が低い等、軟らかい材料から第２の部材３５０を形成した場合であっても、第２の部材３５０は撓みにくい。また、第２の部材３５０が撓み、撓んだ第２の部材３５０に用紙の先端部が引っ掛かることを原因とする用紙の搬送不良の発生が生じにくい。
【００５５】
第２の部材３５０が第１の部材３３０に固定されると、図９（ｂ）に示されるように、除電部材３２２は、第１の部材３３０と第２の部材３５０との間に配置された状態となり、第１の部材３３０と第２の部材３５０とに、上下方向において、又用紙が搬送される方向において挟まれた状態となる。
【００５６】
また、第２の部材３５０が第１の部材３３０に固定されると、図８に示されるように、２次転写ロール３１０、第１の部材３３０、及び第２の部材３５０の長手方向であって、用紙の搬送される方向と交わる方向において、リブ３３６とリブ３５２とが相互に配置された状態となる。また、互いに隣接するリブ３３６とリブ３５２との間に形成される空間に、除電部材３２２の突起３２４が配置された状態となる。すなわち、突起３２４は、第１の部材３３０と第２の部材３５０との間に位置し、露出した状態で用紙に対向する状態となる。
【００５７】
図１０には、リブ３３６とリブ３５２との配置が模式的に示されている。図１０に示すように、第１の案内部として用いられているリブ３３６は、前記第２の案内部として用いられているリブ３５２よりも、用紙の搬送方向上流側においては、用紙を搬送する主搬送路２５２側に突出している。また、前記第２の案内部として用いられるリブ３５２は、用紙の搬送方向下流側においては、用紙を搬送する主搬送路２５２側に突出している。すなわち、リブ３５２は、図１０に矢印で示す用紙の搬送方向と交わる方向における高さが、第１の案内部として用いられるリブ３３６よりも高くなっている。より具体的には、リブ３５２の高さｈ１はリブ３３６の高さｈ２よりも高くなっている。
【００５８】
図１１には、除電装置３２０の付近を用紙が通過する状態が示されている。用紙Ｓは、通常はリブ３３６に接触することはなく、図１１（ｂ）に示すようにリブ３５２に接触し、リブ３５２に案内される。
【００５９】
用紙Ｓの挙動によっては、図１１（ａ）に示すように、用紙Ｓの先端部Ｓ１が第１の部材３３０の後側（図１１における右側）の端部に到達することある。この場合、用紙Ｓはリブ３３６に接触し、リブ３３６に案内される。図１１（ａ）に示す状態から用紙が下流側に搬送されると、用紙の搬送方向下流側においては、リブ３５２がリブ３３６よりも用紙側に突出しているため、図１１（ｂ）に示すように、直ぐに用紙はリブ３３６に接触し、リブ３３６から離れた状態となる。このため、用紙Ｓの先端部Ｓ１側の僅かな部分であって、用紙Ｓの通常はトナーが転写されない部分だけがリブ３３６に接触し、用紙Ｓの他の部分はリブ３５２に接触する。すなわち、用紙Ｓの先端部は、トナーに対し帯電系列がリブ３５２よりも遠いリブ３３６に接触するものの、用紙Ｓの他の大部分は、トナーに対して帯電系列がリブ３３６により近いリブ３５２に接触する。
【００６０】
図１１（ｂ）に示される用紙Ｓがリブ３５２に案内されている状態においては、リブ３５２と搬送中の移動する用紙Ｓと接触しているため、用紙Ｓとリブ３５２とは摩擦により帯電する。この際、リブ３５２を含む第２の部材３５０は、用紙に転写されるトナーに対する帯電系列が第１の部材３３０よりも近い材料から形成されるため、リブ３５２及び用紙Ｓが帯電することを原因とする用紙に転写されたトナーが飛散しにくく、リブ３５２及び用紙Ｓが帯電することを原因として用紙の転写されたトナーが用紙に強く引き寄せられにくい。
【００６１】
より具体的には、第２の部材３５０の材料であるポリプロピレンは、トナーの主成分であるポリスチレンの帯電系列と同極性であり、且つ摩擦帯電した際の電荷量がトナーと近い値を示し、用紙と第２の部材３５０の摩擦帯電によって、第２の部材３５０はマイナスに帯電し、用紙はプラスに帯電する。この際、用紙のプラス電荷はトナーのマイナス電荷と同等以下になる。このため、用紙に転写されたトナーが用紙側に強く引き寄せられたり、とトナーが飛散したりしにくい。
【００６２】
上述のように本発明の実施形態においては、トナーとしてポリスチレンを主成分とするものが用いられ、第１の部材３３０の材料としてＡＢＳ樹脂が用いられ、第２の部材３５０の材料としてポリプロピレンが用いられているが、第２の部材３５０が、用紙に転写されるトナーに対する帯電系列が第１の部材３３０よりも近い材料から形成されるのであれば、ポリスチレンを主成分とするトナーに替え他の材料を主成分とするトナーを用い、第１の部材３３０の材料としてＡＢＳ樹脂以外の材料を用い、第２の部材３５０の材料としてポリプロピレン以外の材料を用いても良い。例えば、ポリスチレンを主成分とするトナーに替えて、スチレン類、モノオレフィン類、ビニルエステル類、α−メチレン脂肪族モノカルボン酸エステル類、ビニルエーテル類、ビニルケトン類等の単独重合体又は共重合体を主成分とするトナーを用いることができ、より具体的には、スチレンーアクリル酸アルキル共重合体、スチレンーメタクリル酸アルキル共重合体、スチレンーアクリロニトリル共重合体、スチレンーブタジエン共重合体、スチレンー無水マレイン酸共重合体、ポリエチレン、ポリエステル樹脂、又はポリプロピレン等を主成分とするトナーを用いても良いし、第１の部材３３０の材料として、ポリイミド樹脂、ポリアミドイミド樹脂、フッ素系樹脂、塩化ビニル酢酸ビニル共重合体、ポリカーボネート樹脂、ポリエチレンテレフタレート樹脂、塩化ビニル系樹脂、ＡＢＳ樹脂、ポリメチルメタクリレート樹脂、ポリブチレンテレフタレート樹脂等を用いても良いし、第２の部材３５０の材料として、ポリイミド樹脂、ポリアミドイミド樹脂、フッ素系樹脂、塩化ビニル酢酸ビニル共重合体、ポリカーボネート樹脂、ポリエチレンテレフタレート樹脂、塩化ビニル系樹脂、ＡＢＳ樹脂、ポリメチルメタクリレート樹脂、ポリブチレンテレフタレート樹脂等を用いても良い。
【００６３】
図１２には、第１の比較例に係る２次転写装置３００及び除電装置３２０が示されている。本発明の実施形態においては、第１の部材３３０がＡＢＳ樹脂で形成され、第２の部材３５０がポリプロピレンで形成されていた。これに対して、この第１の変形例では、第１の部材３３０と第２の部材３５０とが一体となっていて、一体となった第１の部材３３０と第２の部材３５０との全体がポリプロピレンで形成されている。このため、本発明の実施形態に係る２次転写装置３００及び除電装置３２０と比較して、強度が弱く、軟らかいため変形しやすい。
【００６４】
図１３には、本発明の第２の比較例に係る２次転写装置３００及び除電装置３２０が示されている。本発明の実施形態においては、用紙搬送方向の上流側においては、リブ３３６は、リブ３５２よりも主搬送路２５２（図２参照）側に突出していた。これに対してこの変形例では、用紙搬送方向の上流側において、リブ３３６は、リブ３５２よりも主搬送路２５２側に突出していない。このため、この第２の変形例では、本発明の実施形態に係る２次転写装置３００及び除電装置３２０と比較して、リブ３５２と面３３２との間の位置に用紙の先端部が引っ掛かりやすく、用紙の搬送不良が生じやすい。
【産業上の利用可能性】
【００６５】
以上で説明をしたように、本発明は、除電装置、転写装置、及び画像形成装置に適用することができる。
【符号の説明】
【００６６】
１０・・・画像形成装置
１４２・・・中間転写ベルト
３００・・・２次転写装置
３１０・・・２次転写ロール
３２０・・・除電装置
３２２・・・除電部材
３２４・・・突起
３３０・・・第１の部材
３３６・・・リブ
３３８・・・凹部
３４０・・・端部
３５０・・・第２の部材
３５２・・・リブ
３５４・・・凹部
３５６・・・端部
【図１】
0005641201.tif 000002
【図２】
0005641201.tif 000003
【図３】
0005641201.tif 000004
【図４】
0005641201.tif 000005
【図５】
0005641201.tif 000006
【図６】
0005641201.tif 000007
【図７】
0005641201.tif 000008
【図８】
0005641201.tif 000009
【図９】
0005641201.tif 000010
【図１０】
0005641201.tif 000011
【図１１】
0005641201.tif 000012
【図１２】
0005641201.tif 000013
【図１３】
0005641201.tif 000014